(57)【要約】【課題】  仮設養生体の盛り替えを容易にかつ効率的に行う。【解決手段】  仮設養生体の内側に、ブラケット６の先端部に係合しかつ盛り替えを案内するための支持機構８を設ける。支持機構はブラケットの先端部を挟み込むガイド部材２０と、そのガイド部材に設けられた係合ピン３０からなる。係合ピンは外壁に平行な面内において回動可能であり、水平姿勢でブラケットに係合して仮設養生体を支持可能であり、盛り替えの際には自ずとブラケットの側方を通過しかつ自ずと復帰するように回動する。ガイド部材として対のチャンネル材２１を用い、それらのウェブ２３に係合ピンの回動を許容しかつストッパーとして機能するように開口部２４を形成する。ブラケットの先端部上面に係合ピンの先端部を受ける受け具１０を設け、先端部側面にはガイド部材の振れ止めとなる振れ止め部材１１を設ける。【選択図】      図４
2005307596.tif 000002
【特許請求の範囲】
【請求項１】
建物施工時に外壁部に仮設養生体を盛り替え可能に支持するべく、その仮設養生体の内側に設けられる支持機構であって、
施工済みの躯体から突出して設けられているブラケットの先端部を両側から挟み込む状態で仮設養生体の盛り替え時における上下方向の移動をそのブラケットによって案内するためのガイド部材と、そのガイド部材に設けられて前記ブラケットの先端部に係合可能な係合ピンからなり、
前記係合ピンを外壁に平行な面内において回動可能な状態でその中間部をガイド部材に対して軸支して設けるとともに、その係合ピンを水平姿勢とした状態でその先端部をガイド部材に対して係合させて先端部のそれ以上の上方への回動を拘束することにより、その状態で係合ピンの先端部をブラケットの先端部上面に係合させて仮設養生体を支持可能とし、
かつ、係合ピンのの先端側を常に上方に回動させる方向に付勢し、仮設養生体の盛り替え時における上昇の際には係合ピンの先端部をブラケットの先端部下面に当接させて相対的に押し下げることによってブラケットの側方を通過させるとともに、通過後には係合ピンを自ずと水平姿勢に復帰可能に構成したことを特徴とする仮設養生体の支持機構。
【請求項２】
請求項１記載の仮設養生体の支持機構であって、ガイド部材として対のチャンネル材を用いてそれらチャンネル材のウェブどうしを対向させて配置し、一方のチャンネル材のフランジに対して係合ピンを軸支するとともに、双方のチャンネル材のウェブには係合ピンの上下方向の回動を許容する開口部を形成し、かつ他方のチャンネル材に形成する開口部は係合ピンを水平姿勢としてそれ以上の回動を規制するためのストッパーとして機能するように形成したことを特徴とする仮設養生体の支持機構。
【請求項３】
請求項１または２記載の仮設養生体の支持機構であって、ブラケットの先端部上面には係合ピンの先端部を受けるための受け具を設けたことを特徴とする仮設養生体の支持機構。
【請求項４】
請求項１，２または３記載の仮設養生体の支持機構であって、ブラケットの先端部側面にはガイド部材に係合してその振れ止めとなる振れ止め部材を設けたことを特徴とする仮設養生体の支持機構。
【発明の詳細な説明】
【技術分野】
【０００１】
本発明は、建物施工時にその外壁部に仮設養生体を容易に盛り替え可能に支持するための支持機構に関する。
【背景技術】
【０００２】
周知のように、建物を施工する際には作業足場の確保や落下養生ネットの設置のための仮設養生体を外壁部に設けることが通常である。従来、この種の仮設養生体としてはいわゆる枠組み足場を地上より立ち上げるものが殆どであったが、近年、たとえば特許文献１に示されるように、仮設養生体を建物に支持せしめて施工進捗に応じてそれを漸次盛り替えて上昇させていくという工法も開発され、実用化されつつある。
【特許文献１】特開２００１−３４９０６３号公報
【発明の開示】
【発明が解決しようとする課題】
【０００３】
上記のような工法における仮設養生体は、建物に対して確実かつ安定に支持可能であることはもとより、簡便な構成で盛り替えを容易に行い得るものであることが望ましいが、特許文献１に示されるものはその点で改善の余地があった。
【０００４】
すなわち、上記従来の仮設養生体における支持機構は、仮設養生体を建物に連結支持するための連結アームを旋回可能に設けておくとともに、建物には固定部材を突出させて固定しておいて、固定部材に対して連結アームを重ね合わせてボルト締結するというものであり、したがって仮設養生体の盛り替え作業は多数の作業員による手作業に頼って行わざるを得ず、必然的に非効率的でかなりの作業時間を要するものであった。そのため、この種の仮設養生体をより効率的に盛り替えることを可能とする有効適切な改善策が望まれていたのが実情である。
【課題を解決するための手段】
【０００５】
上記事情に鑑み、本発明は、建物施工時に外壁部に仮設養生体を盛り替え可能に支持するべく、その仮設養生体の内側に設けられる支持機構であって、施工済みの躯体から突出して設けられているブラケットの先端部を両側から挟み込む状態で仮設養生体の盛り替え時における上下方向の移動をそのブラケットによって案内するためのガイド部材と、そのガイド部材に設けられて前記ブラケットの先端部に係合可能な係合ピンからなり、前記係合ピンを外壁に平行な面内において回動可能な状態でその中間部をガイド部材に対して軸支して設けるとともに、その係合ピンを水平姿勢とした状態でその先端部をガイド部材に対して係合させて先端部のそれ以上の上方への回動を拘束することにより、その状態で係合ピンの先端部をブラケットの先端部上面に係合させて仮設養生体を支持可能とし、かつ、係合ピンの先端側を常に上方に回動させる方向に付勢し、仮設養生体の盛り替え時における上昇の際には係合ピンの先端部をブラケットの先端部下面に当接させて相対的に押し下げることによってブラケットの側方を通過させるとともに、通過後には係合ピンを自ずと水平姿勢に復帰可能に構成したことを特徴とする。
【０００６】
本発明においては、ガイド部材として対のチャンネル材を用いてそれらチャンネル材のウェブどうしを対向させて配置し、一方のチャンネル材のフランジに対して係合ピンを軸支するとともに、双方のチャンネル材のウェブには係合ピンの上下方向の回動を許容する開口部を形成し、かつ他方のチャンネル材に形成する開口部は係合ピンを水平姿勢としてそれ以上の回動を規制するためのストッパーとして機能するように形成すると良い。
【０００７】
また、ブラケットの先端部上面には係合ピンの先端部を受けるための受け具を設けることが好ましく、ブラケットの先端部側面にはガイド部材に係合してその振れ止めとなる振れ止め部材を設けることが好ましい。
【発明の効果】
【０００８】
本発明によれば、建物に固定したブラケットの先端部に対して係合ピンを係合させることで仮設養生体全体を安定に支持できることはもとより、仮設養生体を盛り替える際にはクレーン等により引き上げて上昇させることのみでその盛り替えを極めて容易にしかも安全に行うことができる。すなわち、仮設養生体の盛り替えの際には、ガイド部材がブラケットの先端部を挟み込んだ状態でその上昇が案内されるので安定な上昇が可能であるし、係合ピンが上階のブラケットの位置に達してもそのまま上昇を続けることのみで、係合ピンが自ずと回動してブラケットの位置を通過するとともに通過後には自ずと復帰してブラケットに係合し、それにより仮設養生体を上階のブラケットに対して直ちに支持させることができる。したがって、固定部材に対して連結アームをボルト締結するようにしていた従来の場合に較べて、盛り替え作業効率が格段に向上してその手間と費用を大幅に削減することが可能である。
【０００９】
特に、ガイド部材として対のチャンネル材を採用し、一方のチャンネル材のフランジに対して係合ピンを軸支するとともに、他方のチャンネル材のウェブにはストッパーとして機能するように適当な開口部を設けることのみで、盛り替え時における上記のような係合ピンの回動動作と復帰動作を自ずと行わせることが可能であり、そのような簡単な機構を備えることのみで何等面倒な操作を必要とすることなく盛り替え作業を極めて効率的に行うことが可能である。
【００１０】
また、ブラケットの先端部上面に係合ピンを受ける受け具を設けることにより、盛り替え時における上記のような係合ピンの回動動作をより確実に案内することができる。さらに、ブラケットの先端部側面にガイド部材に係合する振れ止め部材を設けることにより、仮設養生体をより安定に支持することができるし、盛り替え時にはより安定に案内することができる。
【発明を実施するための最良の形態】
【００１１】
図１〜図６を参照して本発明の一実施形態を説明する。本実施形態における仮設養生体１は、図１および図２に示すように、汎用の建設資材である鋼管（いわゆる単管）を縦材２、横材３としてクランプ金具により組み立て、内側（建物側）の要所に足場板４を取り付けたものであって、その全体が施工済みの躯体５（図示例では外周梁）に対してブラケット６を介して支持されることによって外壁部に設置され、かつ図１（ａ），（ｂ）に示すように施工進捗に伴って順次上方に盛り替えられていくものである。なお、本実施形態では、図１（ａ）に示すように通常時は各階２箇所ずつ３階層分の計６箇所のブラケット６により仮設養生体１を支持するが、（ｂ）に示すように盛り替え時には一時的に２階層分の４箇所のブラケット６により支持するようになっている。
【００１２】
上記の仮設養生体１は施工対象の建物のほぼ４層分の高さに相当するもので、内側の左右両側には対のチャンネル材からなる主縦材７が固定され、図３に示すようにその主縦材７の内側に、この仮設養生体１を上記のブラケット６に対して支持しかつ仮設養生体１を盛り替える際にその上昇を案内するための支持機構８が設けられている。
【００１３】
上記のブラケット６は、図４に示すように縦長矩形断面の角形鋼管からなり、その基端部が施工済みの躯体５の下面側にボルト９により締結されることでその先端部が外側に突出させられた状態で設けられたものである。ブラケット６の先端部上面には後述の係合ピン３０を受ける受け具１０が設けられ、また先端部両側面には後述のガイド部材２０としてのチャンネル材２１ａ，２１ｂに係合してその振れ止めとなる振れ止め部材１１が設けられている。
【００１４】
上記の支持機構８は、図３〜図５に示すように、上記の主縦材７の内側に若干の間隙をおいて添わされたガイド部材２０と、そのガイド部材２０の途中の複数箇所（本実施形態では図１に示すように３箇所）に設けられた係合ピン３０を主体として構成されたものである。係合ピン３０の設置間隔はこの建物の階高（すなわちブラケット６の上下方向の設置間隔）に対応して設定されている。
【００１５】
ガイド部材２０は主縦材７よりもやや小断面の対のチャンネル材２１（２１ａ、２１ｂ）からなり、それらチャンネル材２１はいずれもフランジ２２を外側に向けてウェブ２３どうしが対向配置された状態で主縦材７に対して連結金具１２（図１参照）により連結固定されている。
【００１６】
図４に示すように、本実施形態では係合ピン３０として正方向断面の鋼棒が採用されていて、その係合ピン３０は一方のチャンネル材２１ａのフランジ２２に対してその中間部が重心よりもやや先端側の位置において軸体３１により回動自在に軸支され、係合ピン３０の後端部はチャンネル材２１ａの後方側に大きく延出するものとされている。また、双方のチャンネル材２１のウェブ２３には、係合ピン３０の回動を許容するための縦長スリット状の開口部２４（２４ａ、２４ｂ）が形成されており、それにより係合ピン３０は軸体３１による軸支点を中心として開口部２４の範囲内で鉛直面内（外壁に平行な面内）において回動自在とされているが、係合ピン３０は水平姿勢となった状態でその先端部がチャンネル材２１ｂに形成されている開口部２４ｂの上部に突き当たり、それがストッパーとなってそれ以上の上方への回動は拘束されるようになっており、通常時は係合ピン３０が常にそのような水平姿勢を維持するものとなっている。
【００１７】
すなわち、係合ピン３０の軸支点が重心よりも先端側とされていることから、係合ピン３０は後端部の自重によって先端側が常に上方に回動する方向に付勢されているのであり、そのような自重による付勢力によって常に図４に実線で示すように係合ピン３０の先端部が開口部２４ｂの上部に突き当たって水平姿勢が自ずと維持され、その状態で図５に示すように係合ピン３０がブラケット６の先端部上面側の受け具１０内に係合することによって、仮設養生体１の荷重が主縦材７、ガイド部材２０としての双方のチャンネル材２１、係合ピン３０を介してブラケット６により支持されるようになっている。
【００１８】
また、係合ピン３０がそのような水平姿勢となっている状態から、その先端部を下方に押し下げるような力が作用すれば、図４に破線で示すようにその後端部は自重に抗して持ち上げられて先端側が下がることになるが、そのような押し下げ力が除かれれば自ずと水平姿勢に復帰することになる。したがって、そのような係合ピン３０の水平姿勢からの先端部の下方への回動動作と復帰動作によって、本実施形態の支持機構８では仮設養生体１を単に上昇させることのみでその盛り替え作業を行い得るものとなっている。
【００１９】
なお、対のチャンネル材２１ａ、２１ｂに形成する開口部２４ａ、２４ｂの大きさは、上記のような係合ピン３０の回動を許容し、かつ水平姿勢でストッパー機能を発揮するように形成すれば良く、したがってチャンネル材２１ｂの開口部２４ｂはチャンネル材２１ａの開口部２４ａよりも小さなもので良いのであるが、本実施形態では双方のチャンネル材２１ａ、２１ｂに互換性をもたせるためにそれらに同じ大きさの開口部２４ａ、２４ｂを形成してあり、同様の理由により双方のチャンネル材２１ａ、２１ｂのフランジ２２に軸体３１を通すための軸孔２５を同位置に形成してある。
【００２０】
盛り替え時の係合ピン３０の回動動作について図４〜図６を参照してさらに具体的に説明すると、図５に示したように係合ピン３０をある階のブラケット６に係合させている状態から、仮設養生体１を上階に盛り替えるべく上昇させていくと、図４に実線で示すように係合ピン３０は水平姿勢を維持したままで上昇していく。そして、係合ピン３０が上階のブラケット６の位置に達してもそのまま上昇を続けると、図６（ａ）に示すように係合ピン３０の先端部がブラケット６の下面に当接して漸次押し下げられていき、自ずと（ｂ）に示すようにほぼ起立状態となってそのままブラケット６の側方を通過し、係合ピン３０の先端がブラケット６から外れた時点で自ずと（ｃ）に示すように後端部の自重により水平姿勢に復帰する。そこで（ｄ）に示すように仮設養生体１を僅かに降下させて係合ピン３０を受け具１０内に係合させれば図５に示した状態となるから、これで盛り替え作業が完了する。
【００２１】
以上のように、仮設養生体１に上記のような支持機構８を備えることにより、その盛り替えの際には仮設養生体１をクレーン等により引き上げて単に上昇させることのみ、何等面倒な作業や操作を必要とすることなく極めて容易にかつ効率的に盛り替えを行うことができる。また、上記実施形態の支持機構８は、ガイド部材２０として対のチャンネル材２１を採用し、それに係合ピン３０を回動自在に設けて開口部２４を形成しただけの簡単な構成であるので、その製作費用は些少であるし、様々な形態の仮設養生体に対して簡単に取り付けることができるものであり、極めて有効である。
【００２２】
なお、上記実施形態では、仮設養生体１を建物の４階層分の高さのものとし、その左右両側の２箇所に支持機構８を設けるものとしたが、仮設養生体１の大きさは建物の規模や形態等に応じて任意であることはもとより、仮設養生体１に対する支持機構８の設置数も、仮設養生体１が大きいような場合には両側部に加えて中央部にも設置して３箇所としたり、あるいはさらに多数箇所に設置しても勿論良い。また上記実施形態では各支持機構８に係合ピン３０を３箇所ずつ設けたが、その数も適宜増減して良い。
【００２３】
また、上記実施形態ではブラケット６を外周梁の下面側に固定するものとしたが、外壁部の躯体の形態に応じて、外周梁の上面側や、あるいはスラブやバルコニーの下面ないし上面に対してブラケット６を固定することでも勿論良い。
【００２４】
さらに、上記実施形態ではガイド部材２０として対のチャンネル材２１を用いたが、ガイド部材２０は係合ピン３０を回動自在かつ水平姿勢を維持可能に取り付けることができ、かつブラケット６により盛り替え時の上昇が案内できるものであればよく、その限りにおいてたとえばアングル材やＩ形鋼、Ｈ形鋼等の鋼材も採用可能である。また上記実施形態では係合ピン３０の後端部を後方に大きく延出させてその自重により復帰方向に回動させるようにしたが、それに加えて、あるいはそれに代えて、係合ピン３０の後端部に復帰用のウエイトやバネを取り付けても勿論良い。その他、各部の具体的な構成は本発明の要旨を逸脱しない範囲で様々に変形して良いことは言うまでもない。
【図面の簡単な説明】
【００２５】
【図１】本発明の実施形態である支持機構を備えた仮設養生体の全体概略構成を示す側面図である。
【図２】同、正面図および平面図である。
【図３】本発明の実施形態である支持機構を示す概略構成図（図１におけるIII部の拡大図）である。
【図４】同、盛り替え途中における支持機構の状態を示す図である。
【図５】同、盛り替え後の支持機構の状態を示す図である。
【図６】同、盛り替え時の係合ピンの一連の回動動作を示す図である。
【符号の説明】
【００２６】
１  仮設養生体
２  縦材
３  横材
４  足場板
５  躯体（外周梁）
６  ブラケット
７  主縦材
８  支持機構
９  ボルト
１０  受け具
１１  振れ止め部材
１２  連結金具
２０  ガイド部材
２１（２１ａ、２１ｂ）  チャンネル材
２２  フランジ
２３  ウェブ
２４（２４ａ、２４ｂ）  開口部
２５  軸孔
３０  係合ピン
３１  軸体
【図１】
2005307596.tif 000003
【図２】
2005307596.tif 000004
【図３】
2005307596.tif 000005
【図４】
2005307596.tif 000006
【図５】
2005307596.tif 000007
【図６】
2005307596.tif 000008